(57)【要約】【課題】先端処置部材の長さを従来の常識をこえた長さに形成して卓越した処置機能を発揮させることができ、しかも内視鏡の処置具挿通チャンネル内にスムーズに挿脱させることができる内視鏡用処置具を提供すること。【解決手段】先端処置部材２を長手方向に直列に連なる複数の分割片２Ａ…２Ｃで形成して、複数の分割片２Ａ…２Ｃ全体に長手方向に真っ直ぐに形成された通し孔４内に、屈曲自在部３Ｃと屈曲不能部３Ｂとが長手方向に位置をずらして形成された連結線材３を挿通し、可撓性シース１の基端側から連結線材３を軸線方向に進退させることにより、先端処置部材２が複数の分割片２Ａ…２Ｃどうしの連結部で屈曲自在な状態と剛直した状態とに切り換わるようにした。【選択図】      図１
2010110340.tif 000002
【特許請求の範囲】
【請求項１】
内視鏡の処置具挿通チャンネルに挿脱される可撓性シースの先端に、前後方向に細長い先端処置部材が配置された内視鏡用処置具において、
上記先端処置部材を長手方向に直列に連なる複数の分割片で形成して、上記複数の分割片全体に長手方向に真っ直ぐに形成された通し孔内に、屈曲自在部と屈曲不能部とが長手方向に位置をずらして形成された連結線材を挿通し、上記可撓性シースの基端側から上記連結線材を軸線方向に進退させることにより、上記複数の分割片どうしの連結部に上記連結線材の屈曲自在部が位置する状態と屈曲不能部が位置する状態とが切り換わって、上記先端処置部材が上記複数の分割片どうしの連結部で屈曲自在な状態と剛直した状態とに切り換わるようにしたことを特徴とする内視鏡用処置具。
【請求項２】
上記連結線材が、可撓性ワイヤに密着巻きコイルパイプが被覆された屈曲自在部と硬質パイプが被覆された屈曲不能部とを直列に交互に配して構成され、上記複数の分割片どうしの連結部に上記密着巻きコイルパイプが位置すると上記先端処置部材が上記複数の分割片どうしの連結部で屈曲自在な状態になり、上記硬質パイプが位置すると剛直した状態になる請求項１記載の内視鏡用処置具。
【請求項３】
上記通し孔が上記各分割片に並列に二列に形成されて、その各々に上記連結線材が挿通されている請求項１又は２記載の内視鏡用処置具。
【請求項４】
上記各連結線材を先端方向に付勢するスプリングが、最先端の分割片に設けられている請求項１ないし３のいずれかの項に記載の内視鏡用処置具。
【請求項５】
上記各分割片どうしが当接し合っていて、その当接面の周囲が各々円錐面状に形成されている請求項１ないし４のいずれかの項に記載の内視鏡用処置具。
【請求項６】
上記先端処置部材が嘴状に前方に向けて開閉自在に配置された一対の鉗子片であり、上記可撓性シース内に挿通された開閉操作ワイヤが上記可撓性シースの基端側から牽引操作されると上記一対の鉗子片が閉じた状態になり、上記開閉操作ワイヤが押し込み操作されると上記一対の鉗子片が開いた状態になる請求項１ないし５のいずれかの項に記載の内視鏡用処置具。
【請求項７】
上記一対の鉗子片を開き方向に付勢する開きバネが上記一対の鉗子片の開閉支点付近に設けられている請求項６記載の内視鏡用処置具。
【請求項８】
上記一対の鉗子片の一方に複数のホッチキス針が係脱自在に装着されていて、上記一対の鉗子片を各々剛直した状態で閉じることにより、上記一対の鉗子片の間に挟まれたものを上記ホッチキス針で縫合することができる請求項６記載の内視鏡用処置具。
【発明の詳細な説明】
【技術分野】
【０００１】
この発明は、内視鏡の処置具挿通チャンネルに通して使用される内視鏡用処置具に関する。
【背景技術】
【０００２】
内視鏡用処置具には、内視鏡の処置具挿通チャンネルに挿脱される可撓性シースの先端位置に、前後方向に細長い形状の先端処置部材が配置された構成を有するものが少なくない。
【０００３】
例えば、内視鏡用把持鉗子等の場合、嘴状に前方に向けて開閉自在に配置された一対の鉗子片が先端処置部材として設けられ、可撓性シース内に挿通された開閉操作ワイヤを可撓性シースの基端側から牽引操作すると、一対の鉗子片が閉じた状態になり、押し込み操作すると開いた状態になる（例えば、特許文献１）。
【特許文献１】特開平９−２６２２３９
【発明の開示】
【発明が解決しようとする課題】
【０００４】
把持鉗子で大きな異物や粘膜の広い範囲等を把持するためには、鉗子片をできるだけ長くする必要がある。しかし、曲がりくねった状態になる内視鏡の処置具挿通チャンネル内に挿脱される処置具の硬質部長は著しい制限を受け（例えば１５ｍｍ程度）、先端処置部材がそれより長いと処置具挿通チャンネルへの挿脱が困難になってしまう。
【０００５】
本発明は、先端処置部材の長さを従来の常識をこえた長さに形成して卓越した処置機能を発揮させることができ、しかも内視鏡の処置具挿通チャンネル内にスムーズに挿脱させることができる内視鏡用処置具を提供することを目的とする。
【課題を解決するための手段】
【０００６】
上記の目的を達成するため、本発明の内視鏡用処置具は、内視鏡の処置具挿通チャンネルに挿脱される可撓性シースの先端に、前後方向に細長い先端処置部材が配置された内視鏡用処置具において、先端処置部材を長手方向に直列に連なる複数の分割片で形成して、複数の分割片全体に長手方向に真っ直ぐに形成された通し孔内に、屈曲自在部と屈曲不能部とが長手方向に位置をずらして形成された連結線材を挿通し、可撓性シースの基端側から連結線材を軸線方向に進退させることにより、複数の分割片どうしの連結部に連結線材の屈曲自在部が位置する状態と屈曲不能部が位置する状態とが切り換わって、先端処置部材が複数の分割片どうしの連結部で屈曲自在な状態と剛直した状態とに切り換わるようにしたものである。
【０００７】
なお、連結線材が、可撓性ワイヤに密着巻きコイルパイプが被覆された屈曲自在部と硬質パイプが被覆された屈曲不能部とを直列に交互に配して構成され、複数の分割片どうしの連結部に密着巻きコイルパイプが位置すると先端処置部材が複数の分割片どうしの連結部で屈曲自在な状態になり、硬質パイプが位置すると剛直した状態になるようにしてもよい。
【０００８】
また、通し孔が各分割片に並列に二列に形成されて、その各々に連結線材が挿通されていてもよく、各連結線材を先端方向に付勢するスプリングが、最先端の分割片に設けられていてもよい。また、各分割片どうしが当接し合っていて、その当接面の周囲が各々円錐面状に形成されていてもよい。
【０００９】
なお、先端処置部材が嘴状に前方に向けて開閉自在に配置された一対の鉗子片であり、可撓性シース内に挿通された開閉操作ワイヤが可撓性シースの基端側から牽引操作されると一対の鉗子片が閉じた状態になり、開閉操作ワイヤが押し込み操作されると一対の鉗子片が開いた状態になるようにしてもよく、その場合、一対の鉗子片を開き方向に付勢する開きバネが一対の鉗子片の開閉支点付近に設けられていてもよい。
【００１０】
また、一対の鉗子片の一方に複数のホッチキス針が係脱自在に装着されていて、一対の鉗子片を各々剛直した状態で閉じることにより、一対の鉗子片の間に挟まれたものをホッチキス針で縫合することができるようにしてもよい。
【発明の効果】
【００１１】
本発明によれば、先端処置部材が複数の分割片どうしの連結部で屈曲自在な状態と剛直した状態とを切り換えることができるので、先端処置部材全体の長さを従来の常識をこえた長さに形成して卓越した処置機能を発揮させることができ、しかも内視鏡の処置具挿通チャンネルにスムーズに挿脱させることができる。
【発明を実施するための最良の形態】
【００１２】
内視鏡の処置具挿通チャンネルに挿脱される可撓性シースの先端に、前後方向に細長い先端処置部材が配置された内視鏡用処置具において、先端処置部材を長手方向に直列に連なる複数の分割片で形成して、複数の分割片全体に長手方向に真っ直ぐに形成された通し孔内に、屈曲自在部と屈曲不能部とが長手方向に位置をずらして形成された連結線材を挿通し、可撓性シースの基端側から連結線材を軸線方向に進退させることにより、複数の分割片どうしの連結部に連結線材の屈曲自在部が位置する状態と屈曲不能部が位置する状態とが切り換わって、先端処置部材が複数の分割片どうしの連結部で屈曲自在な状態と剛直した状態とに切り換わるようにする。
【実施例】
【００１３】
以下、図面を参照して本発明の実施例を説明する。
図１は、本発明を把持鉗子に適用した、本発明の第１の実施例を示す内視鏡用処置具の先端部分の側面断面図、図２は平面断面図である。ただし、一つの図に構成ができるだけ明示されるように断面位置を適宜複合してある（以下の図においても同様）。
【００１４】
図示されていない内視鏡の処置具挿通チャンネルに挿脱される可撓性シース１は、例えば直径が２ｍｍ程度で長さが１．５〜２ｍ程度の四フッ化エチレン樹脂チューブ等で形成されている。
【００１５】
可撓性シース１の先端には、前後方向に真っ直ぐに細長い形状の一対の先端処置部材２が嘴状に前方に向かって開閉自在に配置されている。この実施例の先端処置部材２は、体内で異物や粘膜等を把持するための鉗子片である。以下、「鉗子片２」という。
【００１６】
なお、図１に上下に並んで示されている一対の鉗子片２は、上方と下方とに別れて嘴状に開閉動作をするものであるが、上側に示される鉗子片２を「上側の鉗子片２」、下側に示される鉗子片２を「下側の鉗子片２」というものとする。
【００１７】
各鉗子片２は、長手方向に直列に連なる複数の分割片２Ａ…２Ｃで形成され、それらが、可撓性シース１の基端側から進退操作される連結線材３により、バラバラにならないように連結されている。
【００１８】
上側の鉗子片２及び下側の鉗子片２共に、直列に連なる複数の分割片２Ａ…２Ｃどうしが、前後両端で当接し合っている。後述する図４にも示されるように、当接面Ｔは、各分割片２Ａ…２Ｃの断面積に比べて狭い面積の平面部分であるが、その当接面Ｔの周囲が各々円錐面Ｅ状（即ち、上下両側の分割片２Ａ…２Ｃを一つに合わせた状態で全体として一つの円錐面をなす形状）に形成されている。
【００１９】
上下両側の鉗子片２共に、各分割片２Ａ…２Ｃには長手方向に、図２に示されるように左右に一対の通し孔４が並列に真っ直ぐに形成されて、その通し孔４内に連結線材３が挿通されている。最先端の分割片２Ａの内部には、スプリング収容室５が通し孔４の径を拡げて形成されている。
【００２０】
図３には、上下両側の最先端の分割片２Ａと二番目、三番目の分割片２Ｂ，２Ｂの部分が拡大して示され、図４には、分解された鉗子片２の、上側の二番目、三番目の分割片２Ｂ，２Ｂと連結線材３が示されている。ＴとＥは前述の当接面と円錐面である。
【００２１】
図３におけるＶ−Ｖ断面を図示する図５に示されるように、上下合わせて４ヵ所の通し孔４に各々挿通されている連結線材３は、図３及び図４に示されるように、可撓性シース１の基端側まで引き通された可撓性ワイヤ３Ａに、例えばステンレス鋼製の真っ直ぐな硬質パイプ３Ｂが被覆、固着された部分（屈曲不能部）と、金属細線を一定の径で密着巻きした密着巻きコイルパイプ３Ｃが被覆された部分（屈曲自在部）とを、直列に交互に配して構成されている。
【００２２】
そのように構成された各連結線材３において、硬質パイプ３Ｂと交互に複数設けられた密着巻きコイルパイプ３Ｃの配置ピッチが、前後両端以外の分割片２Ｂの長さと略一致している。
【００２３】
したがって、連結線材３が通し孔４内で軸線方向に進退すると、隣り合う分割片２Ａ…２Ｃどうしの連結部の全てに密着巻きコイルパイプ３Ｃが位置する状態（図１〜図３）と、硬質パイプ３Ｂが位置する状態（図６、図７）とが切り換わる。
【００２４】
図３に示されるように、最先端の分割片２Ａに形成された通し孔４内に位置する硬質パイプ３Ｂの最先端部には、最先端の分割片２Ａのスプリング収容室５内に配置された圧縮コイルスプリング６の一端を受ける鍔状のスプリング受け３Ｄが形成されている。
【００２５】
圧縮コイルスプリング６の他端は、スプリング収容室５の後端で受けられている。その結果、連結線材３が基端側から牽引されると圧縮コイルスプリング６が圧縮されて、連結線材３を先端方向に戻す付勢力が圧縮コイルスプリング６から連結線材３に付与される。
【００２６】
このように構成された内視鏡用処置具においては、連結線材３が基端側から牽引操作されていない状態では、図１〜図３に示されるように、隣り合う分割片２Ａ…２Ｃどうしの連結部の全てに密着巻きコイルパイプ３Ｃが位置している。
【００２７】
したがって各鉗子片２は剛直しておらず、隣り合う分割片２Ａ…２Ｃどうしの連結部において屈曲自在である。その結果、例えば内視鏡の処置具挿通チャンネルに挿脱される状況下等において外部から力が作用すると、その外力により隣り合う分割片２Ａ…２Ｃどうしの各連結部が自由に屈曲するので、従来に比べて著しく長い鉗子片２であっても、内視鏡の処置具挿通チャンネル内にスムーズに挿脱させることができる。
【００２８】
なお、各鉗子片２は直線性を保とうとする密着巻きコイルパイプ３Ｃの復元力により弾力的に真っ直ぐな状態に戻されるので、処置具挿通チャンネルを通過した後等のように外力が作用しない状態になると、鉗子片２は元の真っ直ぐな状態に戻る。
【００２９】
そして、４本の連結線材３が基端側から牽引操作されると、図６及びその部分拡大図である図７に示されるように、先端の圧縮コイルスプリング６が圧縮されると同時に隣り合う分割片２Ａ…２Ｃどうしの連結部に硬質パイプ３Ｂが位置して、上下両側の鉗子片２が各々真っ直ぐに剛直した状態になる。
【００３０】
このようにして、鉗子片２を、隣り合う分割片２Ａ…２Ｃどうしの連結部で屈曲自在な状態と真っ直ぐに剛直した状態とに切り換えることができ、従来の常識をこえた長さに鉗子片２を形成して卓越した処置機能を発揮させることができる。
【００３１】
このように先端処置部材２０を屈曲自在な状態と剛直した状態とに切り換えることができる本発明は、把持鉗子に限らず各種の内視鏡用処置具に適用することができるが、この実施例は前述のように本発明を把持鉗子に適用した例を示している。
【００３２】
図６に示されるように、可撓性シース１内には例えば撚り線材からなる可撓性の開閉操作ワイヤ８が緩く挿通配置されている。そして、図８に単独で図示される上下両側の鉗子片２の各々の後端の分割片２Ｃから後方に延出するレバー部２Ｌの後端面に、開閉操作ワイヤ８の先端に連結固着された駆動用ブロック９の先端面が当接している。
【００３３】
１０は、一対のレバー部２Ｌを回転自在に連結する回転支軸であり、両レバー部２Ｌに形成された軸孔２Ｈに通されていて、鉗子片２の開閉支点になる。そのような一対のレバー部２Ｌと駆動用ブロック９は、可撓性シース１の先端に連結固着された円筒状のシース先端口金１１内に収納されている。
【００３４】
そして、一対のレバー部２Ｌを開き方向に付勢する開きバネ１２が、回転支軸１０部分に取り付けられている。シース先端口金１１の先端寄りの部分には、径方向に弾力性を付与するためのスリット１１ａが形成されている。
【００３５】
その結果、開閉操作ワイヤ８が基端側から押し込み操作されると、図９に示されるように、一対のレバー部２Ｌがシース先端口金１１内から前方に押し出されて、一対の鉗子片２が剛直した状態で開きバネ１２の付勢力により開かれた状態になる。
【００３６】
そして、開閉操作ワイヤ８が可撓性シース１の基端側から牽引操作されると、図６に示されるように、一対のレバー部２Ｌがシース先端口金１１内に引き込まれて（圧縮コイルスプリング６の付勢力で押し戻される）、一対の鉗子片２が閉じた状態になり、剛直した一対の鉗子片２の間に大きな異物や粘膜等を把持することができる。
【００３７】
図１０は、そのような把持鉗子の操作部３０の一例を示しており、開閉操作ワイヤ８の基端が連結されたスライド操作部材３２が、可撓性シース１の基端に連結された操作部本体３１に取り付けられ、スライド操作部材３２の進退操作により開閉操作ワイヤ８を軸線方向に進退駆動することができる。
【００３８】
また、４本の連結線材３（可撓性ワイヤ３Ａ）の基端が連結されたスライド駒３３が、操作部本体３１に長手方向に形成されたスリット３４内にスライド自在に係合していて、側方に突出する駆動ピン３５の基端がスライド駒３３に固定されている。
【００３９】
駆動ピン３５は、スライド操作部材３２の延長筒部３２ａに軸線と平行方向に真っ直ぐに形成された直線溝３６内を通過して、スライド操作部材３２の延長筒部３２ａに軸線周り方向に回転自在に取り付けられた回転操作環３７のカム溝３８と係合している。
【００４０】
その結果、４本の可撓性ワイヤ３Ａは、スライド操作部材３２が進退操作されると開閉操作ワイヤ８と共に軸線方向に４本が一緒に進退し、回転操作環３７が回転操作されると、スライド駒３３がスリット３４内で進退することにより、４本の可撓性ワイヤ３Ａだけが軸線方向に進退する。
【００４１】
図１１は、体内の出血部位や切開部位等を経内視鏡的に縫合するためのホッチキス型縫合器に本発明を適用した一例を示す内視鏡用処置具の先端部分の側面断面図、図１２は平面断面図である。図１３と図１４は、図１１におけるXIII−XIII断面とXIV−XIV断面を示している。
【００４２】
この第２の実施例においても、内視鏡の処置具挿通チャンネルに挿脱される可撓性シース１の先端に設けられた上側の鉗子片２と下側の鉗子片１０２が、各々長手方向に連なる複数の分割片２Ａ…２Ｃ，１０２Ａ…１０２Ｃで形成されている。
【００４３】
そして、各分割片２Ａ…２Ｃ，１０２Ａ…１０２Ｃに形成された通し孔に第１の実施例と同様の連結線材３が挿通されていて、可撓性シース１の基端側から連結線材３を軸線方向に進退させると、第１の実施例と全く同様に、上側の鉗子片２と下側の鉗子片１０２が各々、複数の分割片２Ａ…２Ｃ，１０２Ａ…１０２Ｃどうしの連結部で屈曲自在な状態と剛直した状態とに切り換わる。
【００４４】
したがって、鉗子片２，１０２を各分割片２Ａ…２Ｃ，１０２Ａ…１０２Ｃどうしの連結部で屈曲自在な状態にすることにより、従来に比べて著しく長い鉗子片２，１０２であっても、内視鏡の処置具挿通チャンネル内にスムーズに挿脱させることができる。
【００４５】
そのような上側の鉗子片２の後端の分割片２Ｃにはレバー部２Ｌが後方に延出形成されていて、可撓性シース１内に軸線方向に進退自在に挿通配置された開閉操作ワイヤ８が可撓性シース１の基端側から進退操作されると、上側の鉗子片２が軸孔２Ｈを中心に嘴状に開閉動作をする。第１の実施例のような開きばねの類は設けられていない。
【００４６】
下側の鉗子片１０２の後端の分割片１０２Ｃは、可撓性シース１の先端に真っ直ぐに固定的に連結されており、開閉動作は行わない。ただし、上側の鉗子片２と同様に一対の連結線材３が挿通されていて（図１３参照）、屈曲自在な状態と剛直した状態とに切り換えることができる点は上側の鉗子片２と同じである。
【００４７】
上側の鉗子片２より厚く形成されている下側の鉗子片１０２の前後両端以外の各分割片１０２Ｂ内の空間には、複数の（例えば３〜２０個程度の）ホッチキス針２０が、針先を上側の鉗子片２側に向けて係脱自在に装着されている。
【００４８】
各ホッチキス針２０は、図１５に示されるように、略Ｕ字状に形成された針部２１が二つ並列に並べられて、それらが背面座２２の溝に部分的に嵌め込まれた構成であり、各々が４つの針先を備えている。
【００４９】
図１１に戻って、下側の鉗子片１０２の最先端の分割片１０２Ａには、ホッチキス針２０を上側の鉗子片２側に押し上げるための駆動スライダ２３が前後方向にスライド自在に配置されている。駆動スライダ２３の後端壁は斜め上方を向いた斜面になっている。
【００５０】
そして、可撓性シース１の基端側から進退操作されるホッチキス操作ワイヤ２４の先端が駆動スライダ２３に連結されており、ホッチキス操作ワイヤ２４が基端側から牽引操作されると、それにより駆動スライダ２３が後方に向かってスライドする。その結果、駆動スライダ２３の斜面で押された背面座２２が上昇して、背面座２２に取り付けられている針部２１が上側の鉗子片２側に押し上げられる。
【００５１】
上側の鉗子片２の前後両端以外の各分割片２Ｂには、図１１及び図１３に示されるように、ホッチキス針２０の各針部２１の針先を受ける窪み２５が各針部２１と位置を合わせて形成されている。
【００５２】
したがって、図１５に矢印Ａで示されるように、ホッチキス操作ワイヤ２４が基端側から牽引操作されて駆動スライダ２３が後方にスライドすると、それによって矢印Ｂで示されるように押し上げられたホッチキス針２０′の各針部２１′の先側の部分が、上側の鉗子片２の窪み２５部分に押し当てられて変形し、閉じた状態になる。
【００５３】
図１６は、そのように構成された第２の実施例の使用状態を示しており、四本の全ての連結線材３が矢印Ｃで示されるように基端側から牽引されて、上側の鉗子片２と下側の鉗子片１０２が共に剛直した状態にされている。
【００５４】
そして、矢印Ｄで示されるように開閉操作ワイヤ８が基端側から押し込み操作されて上側の鉗子片２が開かれ、上側の鉗子片２と下側の鉗子片１０２との間に体内粘膜等の生体組織Ｎを挟み込んだ状態にすることができる。
【００５５】
次いで、図１７に矢印Ｅで示されるように、開閉操作ワイヤ８が基端側から牽引操作されて上側の鉗子片２が閉じられ、生体組織Ｎが上下の鉗子片２，１０２の間にきつく挟み付けられた状態になったら、矢印Ａで示されるようにホッチキス操作ワイヤ２４を基端側から牽引操作することにより、各ホッチキス針２０が駆動スライダ２３で押し上げられて、ホッチキス針２０が生体組織Ｎを突き通した位置で閉じ状態に変形し、そのホッチキス針２０′により生体組織Ｎが縫合される。
【００５６】
なお、本発明は、上記実施例に限定されるものではなく、各種の内視鏡用処置具に適用することができる。
【図面の簡単な説明】
【００５７】
【図１】本発明の第１の実施例の内視鏡用処置具の先端部分の側面断面図である。
【図２】本発明の第１の実施例の内視鏡用処置具の先端部分の平面断面図である。
【図３】本発明の第１の実施例の内視鏡用処置具の先端部分の拡大側面断面図である。
【図４】本発明の第１の実施例の内視鏡用処置具の先端部分の部分分解斜視図である。
【図５】本発明の第１の実施例の内視鏡用処置具の図３におけるＶ−Ｖ断面図である。
【図６】本発明の第１の実施例の内視鏡用処置具の先端部分の剛直状態の側面断面図である。
【図７】本発明の第１の実施例の内視鏡用処置具の先端部分の剛直状態の拡大側面断面図である。
【図８】本発明の第１の実施例の内視鏡用処置具の後端の分割片の単体斜視図である。
【図９】本発明の第１の実施例の内視鏡用処置具の先端部分が開いた状態の側面断面図である。
【図１０】本発明の第１の実施例の内視鏡用処置具の操作部の一例を示す側面断面図である。
【図１１】本発明の第２の実施例の内視鏡用処置具の先端部分の側面断面図である。
【図１２】本発明の第２の実施例の内視鏡用処置具の先端部分の平面断面図である。
【図１３】本発明の第２の実施例の図１１におけるXIII−XIII断面図である。
【図１４】本発明の第２の実施例の図１１におけるXIV−XIV断面図である。
【図１５】本発明の第２の実施例の部分斜視図である。
【図１６】本発明の第２の実施例の内視鏡用処置具の使用状態における先端部分の側面断面図である。
【図１７】本発明の第２の実施例の内視鏡用処置具の使用状態における先端部分の側面断面図である。
【符号の説明】
【００５８】
１  可撓性シース
２，１０２  鉗子片（先端処置部材）
２Ａ…２Ｃ，１０２Ａ…１０２Ｃ  分割片
３  連結線材
３Ａ  可撓性ワイヤ
３Ｂ  硬質パイプ（屈曲不能部）
３Ｃ  密着巻きコイルパイプ（屈曲自在部）
４  通し孔
６  圧縮コイルスプリング
８  開閉操作ワイヤ
１２  開きバネ
２０  ホッチキス針
２１  針部
３０  操作部
Ｅ  円錐面
Ｔ  当接面
【図１】
2010110340.tif 000003
【図２】
2010110340.tif 000004
【図３】
2010110340.tif 000005
【図４】
2010110340.tif 000006
【図５】
2010110340.tif 000007
【図６】
2010110340.tif 000008
【図７】
2010110340.tif 000009
【図８】
2010110340.tif 000010
【図９】
2010110340.tif 000011
【図１０】
2010110340.tif 000012
【図１１】
2010110340.tif 000013
【図１２】
2010110340.tif 000014
【図１３】
2010110340.tif 000015
【図１４】
2010110340.tif 000016
【図１５】
2010110340.tif 000017
【図１６】
2010110340.tif 000018
【図１７】
2010110340.tif 000019